(57)【要約】【課題】携帯無線機において、操作ボタンで作動するスイッチが取付けられた配線基板を容易に組み込めるようにする。【解決手段】シャーシの側壁部に、スリットが形成されたポケット状部分を設け、該ポケット状部分に、操作ボタンによって作動するスイッチ及び該スイッチが搭載かつ接続されたフレキシブル配線基板を収納し、該フレキシブル配線基板を該ポケット状部分の内壁の側圧で固定し、該フレキシブル配線基板のスイッチ接続部の外側の部分は該スリットから該ポケット状部分の外部に引き出される構成とする。ポケット状部分内でフレキシブル配線基板は、例えばフレキシブル配線基板に固定した補強板を介してポケット状部分の内壁の側圧により押されるようにする。【選択図】図２
2010068334.tif 000002
【特許請求の範囲】
【請求項１】
無線通信により相手先機器との送受信を行う携帯無線機であって、
送受信回路及び信号処理回路が搭載されたメイン回路基板と、
送受信に関連する表示を行うディスプレイと、
少なくとも、送信権取得、音量調整、チャンネル選択を行う操作ボタンと、
上記操作ボタンにより押されて作動するスイッチと、
上記スイッチが搭載され、上記メイン回路基板側に接続されるフレキシブル配線基板と、
上記メイン回路基板、上記操作ボタン及び上記フレキシブル配線基板を支持し、側壁部を有するシャーシと、
を備えて成り、
上記シャーシが、上記側壁部に、スリットが形成されたポケット状部分を有し、
上記スイッチ及び上記フレキシブル配線の上記スイッチ接続部が上記ポケット状部分内に収納され、該フレキシブル配線の該スイッチ接続部の外側の部分が上記スリットを通って該ポケット状部分の外部に引き出されている
構成を特徴とする携帯無線機。
【発明の詳細な説明】
【技術分野】
【０００１】
本発明は、例えば業務用無線通信等に使用される携帯無線機に係り、特に、操作ボタンで作動するスイッチが取付けられた配線基板を装置内で固定するための構造に関する。
【背景技術】
【０００２】
従来より、携帯無線機は、例えば図４に示す携帯無線機１'のように、正面側（Ｘ軸方向側）にスピーカ１１'や、ディスプレイ１２'や、キー１３'が配され、側面側（−Ｙ軸方向側）に、送信権の取得や、音量の調整や、チャンネルの選択を行ったりするための操作ボタン１４'が配され、上方（Ｚ軸方向）にアンテナ２０'が配されている。１５'はケースである。携帯無線機１'の内部の構成は、例えば図５のようになっており、ディスプレイ１２'が取付けられた信号処理回路用基板１６'と、送受信回路用基板１８'との間には、該両基板間を電磁的にシールドするためのシールド材１７'が設けられている。シールド材１７'の側面と操作ボタン１４'との間には、スイッチ２２'が取付けられた基板２１'が配され、該スイッチ２２'が操作ボタン１４'によって押されて作動するようになっている。基板２１'には貫通孔２３'が設けられ、該貫通孔２３'は、シールド材１７'の側面に設けられた突起２４'に勘合される。基板２１'は、シールド材１７'に対し、貫通孔２３'の突起２４'への勘合と、両面テープによる接着力とによって固定される。基板２１'には、スイッチ２２'の配線用の導体パターンが形成され、該導体パターンが接続リード部２１ａ'を介して送受信回路用基板１８'に接続される。１９'はシャーシである。
【０００３】
また、本発明に関連した従来技術であって特許文献に記載された技術としては、例えば特開平８−１３８４７９号公報（特許文献１）に記載されたものがある。特開平８−１３８４７９号公報には、電子機器におけるプッシュスイッチ構造において、組立てが容易で確実にシール機能が得られるようにするために、プッシュ釦が一体成形され周囲に突条が形成されたスイッチゴムシートをパネルの裏面側より設け、該スイッチゴムシートの周囲をパネルとスイッチ用基板で挟持するとした構成が記載されている。
【０００４】
【特許文献１】特開平８−１３８４７９号公報
【発明の開示】
【発明が解決しようとする課題】
【０００５】
図４及び図５で説明した従来技術においては、基板２１'の、シールド材１７'への固定を、貫通孔２３'の突起２４'への勘合と、両面テープの接着剤の接着力とによって行っているため、両面テープを予め接着面に設けておくことや、接着面から水分や脂分を除去しておくことが必要であり、固定作業が複雑となる。また、一旦固定してしまうと、分解が困難である。また、両面テープの接着力が、熱や経時劣化などによって低下した場合には、非接着状態となり、基板２１'は、シールド材１７'に対してがたついた状態になり易い。また、ケース１５'内部の構造や寸法によって、基板２１'の取付け位置や、スイッチ２２'の取付け位置が拘束される。
【０００６】
本発明の課題点は、上記従来技術の状況に鑑み、携帯無線機において、操作ボタンで作動するスイッチが取付けられた配線基板を、無線機本体内に容易に組み込み、かつ確実に固定することができ、取外しも容易に行えるようにすることである。
本発明の目的は、かかる課題点を解決し、信頼性が高く、かつ、部品の組込みや交換、内部の点検や分解などが容易な携帯無線機を提供することにある。
【課題を解決するための手段】
【０００７】
上記課題点を解決するために、本発明では、携帯無線機として、シャーシの側壁部に、スリットが形成されたポケット状部分を設け、該ポケット状部分に、操作ボタンによって作動するスイッチ及び該スイッチが搭載かつ接続されたフレキシブル配線基板を収納し、該フレキシブル配線基板を該ポケット状部分の内壁の側圧で固定し、該フレキシブル配線基板のスイッチ接続部の外側の部分が該スリットを通って該ポケット状部分の外部に引き出される構成とする。フレキシブル配線基板は、ポケット状部分の内壁の側圧により、例えばフレキシブル配線基板の裏面（スイッチ搭載面の反対側の面）に設けた補強板を介して押されることで、ポケット状部分内に固定されるようにする。
【発明の効果】
【０００８】
本発明によれば、携帯無線機において、操作ボタンで作動するスイッチが取付けられたフレキシブル配線基板を、接着剤の接着力などによらずに、無線機本体内に容易に組み込むことができかつ確実に固定することができる。また、無線機本体からの該フレキシブル配線基板の取外しも容易に行うことができる。
【発明を実施するための最良の形態】
【０００９】
以下、本発明の実施例につき、図面を用いて説明する。
図１〜図３は、本発明の実施例の説明図である。図１は、本発明の実施例としての携帯無線機の構成図、図２は、図１の携帯無線機におけるスイッチ及びフレキシブル配線基板の取付け構成を示す図、図３は、図２の取付け構成の拡大図である。
【００１０】
図１において、１は、本発明の実施例としての携帯無線機、１２は、送受信に関連する表示を行うディスプレイ、１４は、少なくとも、送信権取得、音量調整、チャンネル選択を行う操作ボタン、１６は、信号処理回路が形成された信号処理回路用基板、１８は、送受信回路が形成された送受信回路用基板、１７は、信号処理回路用基板１６と、送受信回路用基板１８との間に配され、該両基板間を電磁的にシールドするシールド材、１９は、携帯無線機１の基台を構成するシャーシ、１９ａは、シャーシ１９においてＹ軸方向やＺ軸方向に対して直角な平面を形成する側壁部、２０はアンテナ、２２は、操作ボタン１４が押されることで作動するスイッチ、２１は、スイッチ２２が搭載されて導体パターンによって接続され、上記信号処理回路用基板１６や送受信回路用基板１８側に接続されるフレキシブル配線基板、２１ａは、フレキシブル配線基板２１の接続リード部、３０は、接続リード部２１ａが接続されるコネクタ、５０は、フレキシブル配線基板２１の裏面（スイッチ２２の搭載面の反対側の面）に設けられ、該フレキシブル配線基板２１よりも高い剛性を備え、該フレキシブル配線基板２１を補強する補強板である。フレキシブル配線基板２１は、接続リード部２１ａからコネクタ３０を経て送受信回路用基板１８や信号処理回路用基板１６側に接続される。ディスプレイ１２は、例えば液晶パネル等を用いて構成され、信号処理回路用基板１６に取付けられている。操作ボタン１４がユーザによって押されたとき、携帯無線機１は、少なくとも、送信権取得、音量調整、チャンネル選択を行う。信号処理回路用基板１６と送受信回路用基板１８は、携帯無線機１のメイン回路基板を構成している。シャーシ１９は、メイン回路基板（信号処理回路用基板１６及び送受信回路用基板１８）、操作ボタン１４及びフレキシブル配線基板２１を支持している。コネクタ３０は、送受信回路用基板１８上に取付けられている。フレキシブル配線基板２１とスイッチ２２は、シャーシ１９の側壁部１９ａの内面１９ａｉに取付けられる。なお、携帯無線機１は、図４に示した携帯無線機１'と同様の外部構成を有するものとする。
以下、説明中で用いる図１の携帯無線機１における各構成要素には、図１の場合と同じ符号を付して用いる。
【００１１】
図２は、上記図１の携帯無線機１におけるスイッチ２２及びフレキシブル配線基板２１の、シャーシ１９の側壁部１９ａの内面１９ａｉへの取付け構成を示す。（ａ）は、シャーシ１９内のＸＺ平面図、（ｂ）は、シャーシ１９の−Ｙ軸方向の側壁部１９ａの内面１９ａｉの構成を示す斜視図である。
【００１２】
図２において、４０は、シャーシ１９の側壁部１９ａの内面１９ａｉに設けられたポケット状部分、４１は、ポケット状部分４０に形成されたスリットである。他の符号は、図１の場合と同様である。ポケット状部分４０内に、スイッチ２２、フレキシブル配線基板２１のスイッチ接続部（スイッチ２２が接続された部分）及び補強板５０が収納される（Ａ部）。フレキシブル配線基板２１は、そのスイッチ接続部の外側の部分がスリット４１を通ってポケット状部分４０の外部に引き出される。図２においては、１個のポケット状部分４０が設けられ、４個の操作ボタン１４のうちの１個に対応するスイッチ２２が該１個のポケット状部分４０内に収納される構成を示し、他の３個の操作ボタンに対応する３個のスイッチが収納されるポケット状部分（以下、他のポケット状部分という）については図示されていないが、該他のポケット状部分もシャーシ１９の側壁部１９ａの内面１９ａｉに設けられているものとする。特に、図２（ｂ）においては、他の３個の操作ボタンに対応した位置に設けられるスイッチ、フレキシブル配線基板及び補強板をも図示を省略されている。フレキシブル配線基板２１のスイッチ接続部の外側の部分がポケット状部分４０のスリット４１内に挿入されることで、ポケット状部分４０内に、スイッチ２２、フレキシブル配線基板２１のスイッチ接続部（スイッチ２２が接続された部分）及び補強板５０が挿入される。なお、補強板５０は、フレキシブル配線基板２１の裏面すなわちフレキシブル配線基板２１の、スイッチ２２が搭載された側の面の反対側の面に予め、接着剤などで固定されているものとする。
【００１３】
図３は、図２におけるＡ部の拡大図である。（ａ）は、ＹＺ平面における構成、（ｂ）は、ＸＹ平面における構成としてのＣ−Ｃ'断面を示す。
【００１４】
図３において、４０ａは、シャーシ１９の側壁部１９ａに設けられたポケット状部分４０の内壁である。他の符号は、図１、図２の場合と同様である。スイッチ２２、フレキシブル配線基板２１のスイッチ接続部及び補強板５０がポケット状部分４０内に収納されたとき、補強板５０は、ポケット状部分４０の内壁４０ａから側圧を受けた状態で該内壁４０ａに当接し、フレキシブル配線基板２１及びスイッチ２２は、該補強板５０を介して内壁４０ａの側圧により−Ｙ軸方向に押された状態となる。この状態で、フレキシブル配線基板２１は、スイッチ２２、補強板５０とともに、ポケット状部分４０内に固定される。
【００１５】
図１〜図３で説明した本発明の実施例としての携帯無線機１によれば、フレキシブル配線基板２１及びスイッチ２２を、接着剤や両面テープなどを用いることなく、無線機本体内に容易に組み込むことができかつ確実に固定することができる。また、無線機本体からの該フレキシブル配線基板や該スイッチ２２の取外しも容易に行うことができる。この結果、例えば防災無線通信等の業務用無線機特有の使用環境下においても信頼性が高く、フレキシブル配線基板やスイッチ２２などの部品の交換や、無線機内部の点検や、分解などを容易に行うことができる携帯無線機を提供することができる。
【図面の簡単な説明】
【００１６】
【図１】本発明の実施例の携帯無線機の全体構成図である。
【図２】図１の携帯無線機におけるスイッチ及びフレキシブル配線基板の取付け構成を示す図である。
【図３】図２におけるスイッチ及びフレキシブル配線基板の取付け構成の拡大図である。
【図４】携帯無線機の外観図である。
【図５】従来の携帯無線機の構成例図である。
【符号の説明】
【００１７】
１…携帯無線機、
１２…ディスプレイ、
１４…操作ボタン、
１６…信号処理回路用基板、
１８…送受信回路用基板、
１７…シールド材、
１９…シャーシ、
１９ａ…シャーシの側壁部、
２０…アンテナ、
２１…フレキシブル配線基板、
２１ａ…フレキシブル配線基板の接続リード部、
２２…スイッチ、
３０…コネクタ、
４０…ポケット状部分、
４０ａ…ポケット状部分４０の内壁、
４１…スリット、
５０…補強板。
【図１】
2010068334.tif 000003
【図２】
2010068334.tif 000004
【図３】
2010068334.tif 000005
【図４】
2010068334.tif 000006
【図５】
2010068334.tif 000007